(57)【特許請求の範囲】
【請求項１】
中空の浮子本体とロープ取付部を備え、ロープ取付部は、浮子本体から突出する持ち出し部と、持ち出し部にボルトで取り付けるガイド体と、略断面Ｕ字型のロープ収容体とを有し、持ち出し部は、一方の展開規制部及び他方の展開規制部と、ロープ長手方向に間隔をおいて配置してあり且つ浮子本体から離れた方向に突出する複数のロープ押圧部とを有し、ガイド体は、ロープ押圧部を案内するガイド部と、ロープ収容体の係止部とを有し、ロープ収容体は、Ｕ字の一方の側壁端部と他方の側壁端部をガイド体に係止し且つＵ字の一方の側壁と他方の側壁とを、一方の展開規制部と他方の展開規制部との間に配置して係止部からの外れを規制してあり、ロープ押圧部は、ロープ収容体内に位置し且つロープを押圧することを特徴とする浮子。
【発明の詳細な説明】
【技術分野】
【０００１】
本発明は、おもに漁網の浮子に関する。
【背景技術】
【０００２】
浮子には、浮子本体の外部にロープの取付部を張り出した耳付きタイプがあり、例えば特許文献１に開示される浮子の取付具があったが、挿通したロープへの押圧部がロープに対して一つの面で当接することで摺りやすいものであった。ロープを押圧する浮子本体の把手を、ロープと共にＵ字型のボデーとコ字型の抑え部材とで挟み込むものであり、把手がロープと当接するように位置合わせしなければならず、取付作業が煩わしい問題点もあった。
【特許文献１】実公昭５８−５３９８１号公報
【発明の開示】
【発明が解決しようとする課題】
【０００３】
本発明は以上に述べたような実情に鑑み、ロープを摺りにくく強固に保持することができ且つ取付作業も容易に行える浮子の提供を目的とする。
【課題を解決するための手段】
【０００４】
上記の課題を達成するために本発明による浮子は、中空の浮子本体とロープ取付部を備え、ロープ取付部は、浮子本体から突出する持ち出し部と、持ち出し部にボルトで取り付けるガイド体と、略断面Ｕ字型のロープ収容体とを有し、持ち出し部は、一方の展開規制部及び他方の展開規制部と、ロープ長手方向に間隔をおいて配置してあり且つ浮子本体から離れた方向に突出する複数のロープ押圧部とを有し、ガイド体は、ロープ押圧部を案内するガイド部と、ロープ収容体の係止部とを有し、ロープ収容体は、Ｕ字の一方の側壁端部と他方の側壁端部をガイド体に係止し且つＵ字の一方の側壁と他方の側壁とを、一方の展開規制部と他方の展開規制部との間に配置して係止部からの外れを規制してあり、ロープ押圧部は、ロープ収容体内に位置し且つロープを押圧することを特徴とする。
【発明の効果】
【０００５】
本発明の浮子によれば、ロープ押圧部を複数設けて、ロープに当接する箇所が間隔をおいて形成してあることで、ロープを断続的に押さえてロープが摺りにくくなり、このためロープの耐用性を高めることができる。ガイド体のガイド部によってロープを押圧できる位置にロープ押圧部を導くことができるため、ロープへの浮子の取付作業を容易に行える。
展開規制部を有することから、ガイド体のガイド部でロープ収容体の一方の周壁及び他方の周壁が開くのを抑えて、ロープ収容体内からロープが外れるのを防ぐことができる。
【発明を実施するための最良の形態】
【０００６】
以下、本発明の実施の形態を図面に基づいて説明する。図１（ａ）及び図１（ｂ）から図３は、本発明の浮子の一実施形態を示している。この浮子は、図３に示すように、略球型をなす中空の浮子本体１２にロープ１４へのロープ取付部１７を二箇所に有し、ロープ取付部１７は、浮子本体１２の球表面上の二箇所に間隔をおいて備えてあり、二つのロープ取付部１７の間にロープ１４を通している。浮子本体１２は材質がアルミで、一対の椀状の分割体１８ａ，１８ｂからなり、分割体１８ａ，１８ｂは、板厚２〜３ミリのアルミの板体をプレス加工して形成するものであり、一方の分割体１８ａの開口縁部１９ａを他方の分割体１８ｂの開口縁部１９ｂに嵌め込み、合わせ目を溶接して一体化したものである。内側に嵌め込んだ分割体１８ｂの端縁部には、浮子本体１２が水圧等で潰れないように補強リブ２０を設けている。
【０００７】
ロープ取付部１７は図１（ａ）及び図１（ｂ）に示すように、ロープ収容体１と、ガイド体２と、浮子本体１２と溶接した持ち出し部３とを備えており、ロープ１４を中に通したロープ収容体１とガイド体２とを係止すると共に、ロープ収容体１を係止したガイド体２を持ち出し部３の浮子本体１２と離れた部分にボルト１０で取り付けてあり、持ち出し部３のロープ押圧部５ａ，５ｂは、ガイド体２のガイド部４ａ，４ｂの案内によりロープ収容体１内に挿通し、ロープ押圧部５ａ，５ｂの下端部がロープ収容体１内を通るロープ１４の上縁に押圧力を付与しながら当接して、ロープ１４に浮子本体１２を取り付けることを可能としている。
【０００８】
ロープ収容体１は、板体を彎曲し且つ一方側（図２（ａ）の図示では上側）が開放した略断面Ｕ字型をなすものであり、図２（ａ）に示すようにＵ字の側壁端部には、それぞれがロープ収容体１の内部に向けて屈曲する屈曲部１３ａ，１３ｂを有し、二つの屈曲部１３ａ，１３ｂ間に、ガイド体２のロープ長手方向と平行な両側縁部の上面側（図２（ｂ）の図示ではガイド体２の上側と下側の縁部）２ａ，２ｂをそれぞれ内部側から引掛けることでガイド体２と係止する。ロープ収容体１の板厚は１ｍｍ程度であり、Ｕ字の一方の側壁端部と他方の側壁端部が板バネのように展開及び復元がなされる弾性を有している。周壁の上端部（屈曲部１３ａ，１３ｂの下側箇所）には、ロープ収容体１の内外に連通する貫通孔９ａ，９ｂを設けており、それぞれの貫通孔９ａ，９ｂには、図２（ｂ）に示すように、ガイド体２の両側端部（図２（ｂ）の図示では上下方向に）から突出した凸部８ａ，８ｂがそれぞれ差し込まれ、ロープ収容体１のロープ１４の長手方向へのズレを防止し、ロープ１４からの浮子本体１２の離脱を防ぐように形成してある。
【０００９】
ガイド体２は、図２（ａ）及び図２（ｂ）に示すように、ロープ収容体１のＵ字の一方と他方の側壁端部間に架け渡すことができる長方形状の板体であり、ロープ収容体１の貫通孔９ａ，９ｂに差し込みができる凸部８ａ，８ｂを有し、凸部８ａ，８ｂ及びガイド体２の両側縁部２ａ，２ｂでロープ収容体１に係脱自在となる一方、板体中央の間隔をあけた二箇所に、角が丸みを帯びる四角形状に貫通するガイド部（孔）４ａ，４ｂを設けている。ガイド部（孔）４ａ，４ｂの間にはボルト羅合孔７を有し、ボルト羅合孔７には、持ち出し部３の上方から挿通したボルト１０の差込先端部が羅合してガイド体２を持ち出し部３に取り付けてある。本実施形態のガイド体２の板厚は約５ｍｍ厚程度であり、ロープ１４からの引張力や浮子本体１２の浮力などによる変形力に抗する程度の剛性を有している。
【００１０】
持ち出し部３は、図１（ａ）及び図１（ｂ）のように、浮子本体１２から突出するリング部１１と、リング部１１における浮子本体１２から離れた位置に溶接してある抑え部１５からなり、抑え部１５にはロープ押圧部５ａ，５ｂを設けている。リング部１１は図１（ｂ）のように、アルミの帯状体を折り曲げて形成してあり、リング部１１の継ぎ目１１ａ側を浮子本体１２に溶接してあり、リング部１１の突出側を抑え部１５（図１（ｂ）の図示では抑え部１５の上面側）に溶接するものである。抑え部１５は、両端縁（図２（ａ）の図示では左右側）をそれぞれ下方に曲げて展開規制部１５ｂ，１５ｃを設けていると共に、抑え部１５の上壁１５ａ及び展開規制部１５ｂ，１５ｃに三方を囲まれた内部には下向きの凹部６を有している。ロープ押圧部５ａ，５ｂは、抑え部１５の上壁１５ａに対して垂直方向の軸を中心とする周壁を有する方形筒型に形成してあり、抑え部１５の凹部６（図２（ａ）の図示では抑え部１５の下面側）のロープ１４の通るロープ長手方向に沿って、上壁１５ａの下端面側の間隔をおいた二箇所に、浮子本体１２から離れる方向（浮子本体１２の反対側）に突出して設けてある。リング部１１の略中央位置からロープ押圧部５ａ，５ｂの間の箇所までを貫通するボルト挿通孔１６を設けており、ボルト挿通孔１６を通る一本のボルト１０でガイド体２のボルト羅合孔７に羅合する（図２（ｂ）参照）。ロープ押圧部５ａ，５ｂの横断面の外形は図２（ｂ）に示すように、ガイド体２のガイド部４ａ，４ｂよりも僅かに小さく形成してあり、ガイド部４ａ，４ｂの案内よりロープ収容体１内に挿通したロープ押圧部５ａ，５ｂは、方形筒型の周壁の下端側の縁部がロープ１４に当接する。ロープ押圧部５ａ，５ｂは、横断面の外形が筒型をなすことからロープ１４上縁への接触面積が少なくなって摺りにくくしている。持ち出し部３の抑え部１５の凹部６内には、ロープ収容体１の屈曲部１３ａ，１３ｂを含む一方と他方の側壁端部側のそれぞれを差し入れ、ロープ収容体１の一方の側壁の外側に一方の展開規制部を配すると共に、他方の側壁の外側に他方の展開規制部１５ｂ，１５ｃを配してロープ収容体１の展開を防ぎ、ロープ収容体１の貫通孔９ａ，９ｂへの凸部８ａ，８ｂの差し込みについても展開を防いで維持し、これによりロープ収容体１のガイド体２からの離脱を防止している。ロープ押圧部５ａ，５ｂの数については、少なくとも二つ以上としてある。
【００１１】
本実施による浮子を実際にロープ１４に取り付けるときは以下の手順となる。
まずロープ収容体１の中にロープ１４を通し、ロープ収容体１のＵ字の一方と他方の側壁をバネ力に抗して展開し、ロープ収容体１の貫通孔９ａ，９ｂの位置にガイド体２の凸部８ａ，８ｂをそれぞれ合わせ、展開した側壁を元に戻して凸部８ａ，８ｂを貫通孔９ａ，９ｂに差し込み、ロープ収容体１とガイド体２とを係止する。次に、ガイド体２のガイド部４ａ，４ｂに浮子本体１２を引き寄せて持ち出し部３のロープ押圧部５ａ，５ｂを差し込み、ロープ押圧部５ａ，５ｂの下端側の縁部がロープ１４に当接するまで押し込む。ガイド部４ａ，４ｂにロープ押圧部５ａ，５ｂを挿通しているとき、ガイド体２のボルト羅合孔７と持ち出し部３のボルト挿通孔１６とが上下方向に一致し、ボルト挿通孔１６にボルト１０を差し込んで先端部をボルト羅合孔７に羅合することで、ロープ収容体１とガイド体２と持ち出し部３とがしっかりと結合し、ロープ押圧部５ａ，５ｂがロープ１４に対して、ボルト１０の締結力に比例した押圧力を付与するようになる（図１（ａ）（ｂ）参照）。
【００１２】
本発明の浮子は、以上に述べた実施形態に限定されない。本浮子のロープ取付部１７は、通常は二つ設けてあればよいが、浮子本体１２が大型になれば三つ以上設けてもよいし、反対に小さければ１つであってもよい。本浮子の材質は、軽さや耐食性、加工の容易性などの点からアルミが適しているが、チタン等の他の材質としてもよい。本実施形態ではロープ収容体１のＵ字の一方と他方の側壁を展開し、ガイド体２の凸部８ａ，８ｂに外側から貫通孔９ａ，９ｂを嵌めることでロープ収容体１のガイド体２からのズレ止めとするものであるが、例えば、ガイド体２の凸部８ａ，８ｂの一側に差込側から次第に登り勾配となるテーパを設け、ロープ収容体１のＵ字の一方と他方の側壁端部に設けた貫通孔９ａ，９ｂに、凸部８ａ，８ａのテーパ側からスライド式に嵌り込むように形成してもよい。ロープ押圧部５ａ，５ｂの形状を方形筒型としているが、ロープ長手方向に対して直交する薄い板体を、ロープ１４に沿って間隔をおいて複数配して、それぞれの板体の下端部がロープ１４を当接するものであってもよく、本実施形態のもの以外にも例えば、正円や楕円の筒型、筒の内部に補強リブを有するもの、すり鉢型に中央が窪んだもの、あるいは筒型以外でもクシ歯のようにロープ１４との当接部分が断続的に形成してあってもよい。抑え部１５の展開規制部１５ｂ，１５ｃは、本実施形態では上壁１５ａの両側縁部からそれぞれを垂下する壁型のものが例示してあるが、例えば壁の代わりに上下に延びる棒体などでもよく、ロープ収容体１の開きを規制できるものであればよい。
【図面の簡単な説明】
【００１３】
【図１（ａ）（ｂ）】（ａ）は本発明の浮子の構成を示す分解斜視図であり、（ｂ）は図３中Ｃを拡大した縦断面図である。
【図２（ａ）（ｂ）】（ａ）は図１（ｂ）中のＡ−Ａ線縦断面図であり、（ｂ）は図２中のＢ−Ｂ線横断面図である。
【図３】本発明の浮子の使用状態を示す図である。
【符号の説明】
【００１４】
１  ロープ収容体
２  ガイド体
２ａ，２ｂ  両側縁部（係止部）
３  持ち出し部
４ａ，４ｂ  ガイド部
５ａ，５ｂ  ロープ押圧部
１０  ボルト
１２  浮子本体
１３ａ，１３ｂ  屈曲部（側壁端部）
１４  ロープ
１５ｂ，１５ｃ  展開規制部
１７  ロープ取付部
【図１（ａ）（ｂ）】
0004730706.tif 000002
【図２（ａ）（ｂ）】
0004730706.tif 000003
【図３】
0004730706.tif 000004